(57)【要約】【課題】  頭の頭頂部や後頭部に毛束を巻いたお団子ヘア３０を作るためのヘアセット用器具１であって、お団子ヘア３０を作るために毛束３２を挟み付け部２，３に挟み付ける作業と毛束を巻き付ける作業とを、容易に行うことができるヘアセット用器具を提供することを課題とする。【解決手段】  協働して頭髪の毛束３２を挟み付け且つその挟み付け状態を維持する手段を備えた一対の挟み付け部２，３を有し、少なくとも一方の挟み付け部の外面に、頭髪が係止可能な面ファスナー２０，２１などの頭髪係止部が存在している。【選択図】  図１
2015134038.tif 000002
【特許請求の範囲】
【請求項１】
協働して頭髪の毛束を挟み付け且つその挟み付け状態を維持する手段を備えた一対の挟み付け部を有し、少なくとも一方の挟み付け部の外面に、頭髪が係止可能な頭髪係止部が存在することを特徴とするヘアセット用器具。
【請求項２】
一対の挟み付け部が、閉じる方向に付勢された状態で開閉回転可能に結合され、且つその閉じられた挟み付け部を開くための摘みを有する請求項１記載のヘアセット用器具。
【請求項３】
摘みは挟み付け部と別体に形成され、それぞれの摘みは、挟み付け部を開くための作用位置と、作用位置にある摘みによる嵩張りを低減する非作用位置とを取ることができるように、それぞれの挟み付け部に可動に結合されている請求項２記載のヘアセット用器具。
【請求項４】
摘みは挟み付け部と別体に形成され、それぞれの摘みは、回転軸線を中心に回転可能にそれぞれの挟み付け部に取り付けられ、摘みの回転範囲は、摘みが挟み付け部の外面に接触又は近接した非作用位置から作用位置である所定の角度の位置までの限られた範囲である請求項２又は請求項３記載のヘアセット用器具。
【請求項５】
少なくとも一方の摘みは直線状の端縁を有し、その端縁に複数の凹部が形成されている請求項２乃至請求項４のいずれか一項記載のヘアセット用器具。
【請求項６】
頭髪係止部は、弾性材料で形成されたフック部である請求項１乃至請求項５のいずれか一項記載のヘアセット用器具。
【請求項７】
頭髪係止部は、挟み付け部の外面に取り付けられた面ファスナーが有するフック部である請求項１乃至請求項６のいずれか一項記載のヘアセット用器具。
【請求項８】
毛束を挟み付けるときに閉じられた一対の挟み付け部で構成される形状は、円錐台形又は楕円錐台形である請求項１乃至請求項７のいずれか一項記載のヘアセット用器具。
【発明の詳細な説明】
【技術分野】
【０００１】
本発明は、主に一般女性等が使用するヘアセット用器具であって、特に、頭頂部や後頭部に、頭髪を束ねて巻いたお団子ヘアを作るための土台となる器具に関する。
【背景技術】
【０００２】
お団子ヘアを作ることができるヘアセット用器具は、特許文献１に記載されているように既に提案されている。このヘアセット用器具は、合成樹脂発泡材による弾性筒状体であって、その弾性筒状体の一端面から他端面まで切割りを設けた構成である。そして、その使用方法は、まず、手で頭髪を束ね、その根元に頭髪用輪ゴムを巻いて毛束を作る。次に、弾性筒状体の切割りを弾性拡開して、その広がった切割りから毛束を筒孔に挿通させる。次いで、筒孔に挿通されている毛束と、その周囲の挿通されていない頭髪をまとめて束ね、弾性筒状体を土台としてそれらの毛束と頭髪とを筒状体に巻き付けてピンで留め、お団子ヘアを作るのである。ここで、弾性筒状体は合成樹脂発泡材で一体成形されていて、使用時に一定の形態を保持できなければならないから、一定の弾性的強度を有していなければならない。したがって、切割りを弾性拡開したとしても、弾性筒状体は弾性的強度の関係で可撓性が低く、切割りを大きく拡げることはできないし、無理して大きく拡げようとすれば弾性筒状体が破損する虞もある。しかも、その作業は頭頂部又は後頭部において、一方の手の指先で切割りを拡開させながら、他方の手で毛束を掴みつつ行うので手間がかかるのである。仮に、両手を使って切割りを拡開した場合は、毛束の根元は頭髪用輪ゴムで束ねられているが、手で毛束を掴んでいないので、根元から毛先に行くに従って頭髪は自然に広がってしまい、広がった頭髪を狭い切割りから筒孔に挿通させることは困難であり手間がかかるのである。このように、従来のお団子ヘアを作るためのヘアセット用器具は、お団子ヘアを作る前提としての、まとめた毛束を弾性筒状体の筒孔に挿通する作業に非常に手間がかかるのである。
【０００３】
また、特許文献２に記載された大径ヘアカーラーは、筒状体に形成され切割りを有しているが、毛束を筒孔に通すものではなく、特許文献１の弾性筒状体と異なり、筒孔の端部から出ている頭髪を筒状体の外面に巻き付けるものではない。すなわち、特許文献１の弾性筒状体は頭部に対して垂直にセットして、その筒状体の周囲に頭髪を巻き付け、頭頂部又は後頭部にお団子ヘアを作るものであるのに対して、特許文献２の大径ヘアカーラーは、頭部に対して横向きに沿わせて、そのヘアカーラーの周囲に頭髪を巻き付け、ドライヤーで頭髪に巻き癖を付けるためのものである。このように、特許文献２の大径ヘアカーラーはお団子ヘアを作るものでなく、特許文献１の弾性筒状体と使用目的が異なる物であるが、特許文献１の弾性筒状体と同じような構成であるために、お団子ヘアを作るための弾性筒状体の代わりとして使用できる可能性を有している。すなわち、大径ヘアカーラーを弾性筒状体と同じように使用して、頭頂部又は後頭部にお団子ヘアを作ることは可能であると言えるが、そうすると、特許文献１の弾性筒状体を使用する場合と同じ理由で、まとめた毛束を筒孔に挿通する作業に手間がかかるのである。また、お団子ヘアは毛束を二重から四重程度巻き付ける必要があるが、特許文献２の大径ヘアカーラーは、特許文献１の弾性筒状体に比べて径が非常に大きいので、毛束を二重に巻き付けることも困難である。したがって、毛束を何重にも巻き付けたお団子ヘアを作るためには、大径ヘアカーラーの径を十分に小さくしなければならない。そうすると、特許文献１の弾性筒状体と全く同じように、毛束を筒孔に挿通する作業に非常に手間がかかるのである。
【先行技術文献】
【特許文献】
【０００４】
【特許文献１】特許第２７４２９８５号公報
【特許文献２】実開平６−６６５０１号公報
【発明の概要】
【発明が解決しようとする課題】
【０００５】
本発明は、頭頂部や後頭部に毛束を巻いたお団子ヘアを作るためのヘアセット用器具であって、お団子ヘアを作るために毛束をヘアセット用器具の挟み付け部に挟み付ける作業を、容易に行うことができるヘアセット用器具を提供することを課題とする。
【課題を解決するための手段】
【０００６】
本発明の請求項１に記載の発明は、協働して頭髪の毛束を挟み付け且つその挟み付け状態を維持する手段を備えた一対の挟み付け部を有し、少なくとも一方の挟み付け部の外面に、頭髪が係止可能な頭髪係止部が存在する構成である。
【０００７】
請求項２に記載の発明は、一対の挟み付け部が、閉じる方向に付勢された状態で開閉回転可能に結合され、且つその閉じられた挟み付け部を開くための摘みを有する構成である。
【０００８】
請求項３に記載の発明は、摘みが、挟み付け部と別体に形成され、それぞれの摘みは、挟み付け部を開くための作用位置と、作用位置にある摘みによる嵩張りを低減する非作用位置とを取ることができるように、それぞれの挟み付け部に可動に結合されている構成である。
【０００９】
請求項４に記載の発明は、摘みが挟み付け部と別体に形成され、それぞれの摘みは、回転軸線を中心に回転可能にそれぞれの挟み付け部に取り付けられ、摘みの回転範囲は、摘みが挟み付け部の外面に接触又は近接した非作用位置から作用位置である所定の角度の位置までの限られた範囲である構成である。
【００１０】
請求項５に記載の発明は、少なくとも一方の摘みが直線状の端縁を有し、その端縁に複数の凹部が形成されている構成である。
【００１１】
請求項６に記載の発明は、頭髪係止部が、弾性材料で形成されたフック部である構成である。
【００１２】
請求項７に記載の発明は、頭髪係止部が、挟み付け部の外面に取り付けられた面ファスナーが有するフック部である構成である。
【００１３】
請求項８に記載の発明は、毛束を挟み付けるときに閉じられた一対の挟み付け部で構成される形状が、円錐台形又は楕円錐台形である構成である。
【発明の効果】
【００１４】
請求項１に記載の発明は、協働して頭髪の毛束を挟み付け且つその挟み付け状態を維持する手段を備えた一対の挟み付け部を有する。一対の挟み付け部であるから、挟み付け部は別体に形成され、例えば双方の挟み付け部の基部同士をヒンジ結合などで結合して使用する構成とすることができる。特許文献１と異なり挟み付け部が一体に形成されていないので、挟み付け部を開くときに挟み付け部の弾性を利用して開くものでない。このため、両挟み付け部を大きく開くことができるから、毛束を挟み付け部に挟み付ける作業を、容易に行うことができる。さらに、少なくとも一方の挟み付け部の外面に、頭髪が係止可能な頭髪係止部が存在する。したがって、最終的にお団子ヘアを作ったときにそのお団子をピンなどで留めるとしても、頭髪の巻き始めに頭髪が頭髪係止部に係止されるので、頭髪を巻き付ける作業が安定し、作業の途中での頭髪の巻き崩れを防止することができる。
【００１５】
請求項２に記載の発明は、一対の挟み付け部が、閉じる方向に付勢された状態で開閉回転可能に結合され、且つその閉じられた挟み付け部を開くための摘みを有している。この構成は、例えばヘアクリップで用いられている構成である。したがって、両挟み付け部を大きく開くことが可能であり、毛束を両挟み付け部の間に容易に挿し入れることができる。また、両挟み付け部が閉じる方向に付勢されているので、一方の手でヘアセット用器具の摘みを持って両挟み付け部を開き、他方の手で毛束を持って、開かれた両挟み付け部の間に差し入れ、次いで摘みに加えている力を抜けば自動的に挟み付け部が閉じるので、作業を容易に行うことができる。
【００１６】
請求項３に記載の発明は、摘みが、挟み付け部と別体に形成され、それぞれの摘みは、挟み付け部を開くための作用位置と、作用位置にある摘みによる嵩張りを低減する非作用位置とを取ることができるように、それぞれの挟み付け部に可動に結合されている。摘みが、挟み付け部を開くための作用位置にあるときは、挟み付け部から突出するので、突出した分だけ嵩張ってしまうのである。そこで、不使用時には、挟み付け部による嵩張りを低減する非作用位置に置くことができる構成とすることにより、化粧用具入れ等に保管するときに嵩張らないという効果を奏する。
【００１７】
請求項４記載の発明は、摘みが挟み付け部と別体に形成され、それぞれの摘みは、回転軸線を中心に回転可能にそれぞれの挟み付け部に取り付けられ、摘みの回転範囲は、摘みが挟み付け部の外面に接触又は近接した非作用位置から作用位置である所定の角度の位置までの限られた範囲である。摘みの回転範囲が限定されない場合は、回転させた摘み同士が衝突したりして摘みが梃子の作用をなさないから、摘みによって挟み付け部を開くことができない。そこで、摘みの回転範囲を限定することにより、摘みに加えた力を挟み付け部に伝えて挟み付け部を確実に開くことができるのである。
【００１８】
請求項５記載の発明は、少なくとも一方の摘みは直線状の端縁を有し、その端縁に複数の凹部が形成されている。したがって、作用位置にある摘みを、お団子ヘアを作るための土台の一部として使用したときに、頭髪が凹部に入り込み、頭髪をしっかりまとめて綺麗なお団子ヘアを作ることができる。
【００１９】
請求項６記載の発明は、頭髪係止部が、弾性材料で形成されたフック部であるので、頭髪を容易且つ確実にフック部に係止させることができる。
【００２０】
請求項７記載の発明は、頭髪係止部が、挟み付け部の外面に取り付けられた面ファスナーが有するフック部である。面ファスナーは弾性材料で形成された多数のフック部を有するから、多数の頭髪を容易且つ確実にフック部に係止させることができる。これにより、頭髪を巻き付ける作業の安定性が増し、作業の途中での頭髪の巻き崩れを効果的に防止することができる。
【００２１】
請求項８記載の発明は、毛束を挟み付けるときに閉じられた一対の挟み付け部で構成される形状が、円錐台形又は楕円錐台形である。円錐台又は楕円錐台は、共に、大径の端面と小径の端面を有している。そこで、毛束を挟み付けるときに、挟み付け部の小径の端面が毛束の根元側に、大径の端面が毛束の毛先側に位置するようにして毛束を挟み付けると、挟み付け部は根元側から毛先側に行くに従って徐々に太くなり、挟み付け部の外面は徐々に広がることになる。これにより、挟み付け部の外面に毛束を巻き付けたときに、徐々に広がる挟み付け部の外面が、毛束方向と垂直の方向に広がろうとする頭髪を押さえるので、頭髪が挟み付け部の大径の端部からはみ出ることがなく、頭髪の巻き崩れを防ぐことができる。仮に、一対の挟み付け部で構成される形状が円筒形であるときは、その挟み付け部の外面に巻き付けられた毛束が、毛束方向と垂直の方向に広がって、その一部が挟み付け部の端部からはみ出し、巻き崩れを生じる虞があるのである。
【図面の簡単な説明】
【００２２】
【図１】摘みを開いた状態の斜視図である。
【図２】大径の端面側から見た正面図である。
【図３】摘みを閉じた状態の斜視図である。
【図４】摘みを閉じた状態の側面図である。
【図５】本発明のヘアセット用器具を頭髪の毛束に取り付けるときの状態図である。
【図６】本発明のヘアセット用器具の使用状態図である。
【発明を実施するための形態】
【００２３】
以下、本発明の実施形態について、図面を参照しながら説明する。ヘアセット用器具１は、湾曲した板状に形成された一対の挟み付け部２，３を有する。図３に示すように、双方の挟み付け部２，３には、それらの外面から突出した軸受部４，５，６，７が形成されており、それらの軸受部に支軸８が挿通されている。これにより、双方の挟み付け部２，３は支軸８を中心に回転可能に結合されている。また、双方の挟み付け部２，３を常時、閉じる方向に付勢するためのトーションばね９が、支軸８に設けられている。トーションばね９の両ばね端が、挟み付け部２，３を閉じる方向に付勢している。閉じられた挟み付け部２，３は、図３及び図４から明らかなように、楕円錐台形をなしている。また、図１に示すように、挟み付け部２，３の表面には、弾性を有する合成繊維製のフック状の素材から成る多数のフック部３５，３６を有する面ファスナー２０，２１が貼着されている。なお、フック部３５，３６の詳細な形状については省略してある。
【００２４】
双方の挟み付け部２，３にはそれぞれ摘み１０，１１が取り付けられている。図３に示すように、摘み１０の基部１２は段差をつけて幅狭に形成され、その基部１２が軸受部４，５の間に取り付けられる。摘み１０の基部１２の両側面１３，１４には、それぞれジャーナル軸１５（他方は図示せず。）が形成され、軸受部４，５にジャーナル結合されている。これにより、摘み１０は、ジャーナル軸１５を中心に回転可能である。他方の摘み１１の基部１６の両側面１７，１８にもジャーナル軸１９（他方は図示せず。）が形成され、軸受部６，７にジャーナル結合されている。これにより、摘み１１も、ジャーナル軸１９を中心に回転可能である。
【００２５】
摘み１０，１１はそれぞれ湾曲した板状に形成され、図３に示すように、摘み１０，１１を閉じたときに、摘み１０，１１の内面が、面ファスナー２０，２１を含む挟み付け部２，３の外面にほぼ全面的に当接する。これは、摘み１０，１１の湾曲の曲率と、挟み付け部２，３の湾曲の曲率とがほぼ等しくなるように形成されているためである。ヘアセット用器具１の不使用時に、摘み１０，１１を閉じることにより、摘み１０，１１によるヘアセット用器具１の嵩張りを低減することができ、化粧用具入れ等に保管するときに嵩張らない。
【００２６】
前述したように、摘み１０の基部１２は段差をつけて幅狭に形成され、その基部１２が軸受部４，５の間に取り付けられている。基部１２が段差をつけて幅狭に形成されることにより、図３に示すように、ストッパー面２２，２３が形成される。これにより、摘み１０を開いていくと、ストッパー面２２，２３が軸受部４，５の上面に突き当たるので、摘み１０はジャーナル軸１５を中心にそれ以上回転することができない。すなわち、図１に示す位置まで摘み１０を開くと、その位置で摘み１０の回転は規制される。他方の摘み１１も同様に、図１に示す位置で回転は規制される。これにより、回転が規制された双方の摘み１０，１１をさらに回転方向に押圧すると、摘み１０，１１は梃子として作用し、挟み付け部２，３を支軸８を中心に回転させ、トーションばね９の付勢力に抗して挟み付け部２，３を開かせる。
【００２７】
摘み１０の端縁２４は直線状をなし、そこに４つの凹部２５が形成されている。他方の摘み１１も同様である。凹部２５は、摘み１０，１１を開いたヘアセット用器具１に巻き付けた頭髪が、摘み１０の端縁２４上で毛束の幅方向に散ることを防止し、頭髪をしっかりまとめて綺麗なお団子ヘアを作るためのものであり、他方の摘み１１も同様である。すなわち、お団子ヘアを作るときに、頭髪を挟み付け部２，３に巻き付けるのであるが、その場合、摘み１０，１１を閉じて行うこともできるし、開いて行うこともできる。摘み１０，１１を開いて頭髪を巻き付けるときは、頭髪が摘み１０，１１の端縁２４の上にも巻き付けられるが、その端縁２４が一直線状であるときは、頭髪が端縁２４上を滑って幅方向に散る虞がある。そこで、凹部２５を形成することにより凹部２５に頭髪が入り込むので、頭髪が散ることを防止し、頭髪をしっかりまとめて綺麗なお団子ヘアを作ることができるのである。さらに、凹部２５は指掛りとなり滑り止めとして作用する。また、挟み付け部２，３の内面には、それぞれ多数の突起２６，２７が形成されている。この突起２６，２７が、挟み付けた毛束の中に差し込まれることにより、毛束を巻き付けたヘアセット用器具１が毛束の方向に滑ることを防止することができる。さらに、図３に示すように、挟み付け部２の端部には多数の凹凸部２８が交互に形成され、他方の挟み付け部３の端部にも多数の凹凸部２９が形成されている。そして、挟み付け部２，３を閉じたときに、双方の挟み付け部２，３の凹凸部２８，２９の凹凸が噛み合うように、凹凸部２８と凹凸部２９は半ピッチずらして形成されている。これにより、挟み付け部２，３の端部の接触部は波状の曲線となるから、挟み付け部２，３の端部の隙間から、挟み付けた頭髪が抜け出ることを防止することができる。すなわち、挟み付け部２，３の端部が直線状であるときは、その直線の接触部の一部に隙間が生じることがあり、頭髪が抜け出す虞があるのである。
【００２８】
次に、ヘアセット用器具１の使用方法について説明する。ヘアセット用器具１を用いてお団子ヘア３０を作るときは、図５に示すように、まず、頭髪を束ね、その根元に頭髪用輪ゴム３１を巻いて毛束３２を作る。次いで、挟み付け部２，３の小径の端面３３が毛束の根元側に、大径の端面３４が毛束３２の毛先側に位置するようにしてから、作用位置に開いた摘み１０，１１を一方の手の指先で摘んで挟み付け部２，３を大きく開き、他方の手で毛束３２をつかんで支え、その毛束３２の根元を挟み付け部２，３で挟み付ける。次いで、摘み１０，１１を開いたままの状態で、図６に示すように毛束３２を挟み付け部２，３及び開いた摘み１０，１１の上から巻き付ける。最後に、ヘアピンなどで毛束３２の先端部を留めてお団子ヘア３０を作る作業が完了する。摘み１０，１１が開いているので、お団子ヘア３０のボリュームをアップさせることができる。また、作用位置にある摘み１０，１１を閉じてから毛束３２を巻き付けてお団子ヘア３０を作ることもできる。この場合は、摘み１０，１１を閉じることにより、ヘアセット用器具１の嵩張りが低減されるので、お団子ヘア３０のボリュームもやや小さくなる。また、毛束の長さが長めのときは、摘み１０，１１を閉じて、お団子ヘアが大きくなり過ぎないようにすることもできる。なお、毛束３２を作るときに頭髪用輪ゴム３１を用いずに、頭髪を手でまとめながら挟み付け部２，３で頭髪を挟み付けてもよい。
【００２９】
次に、本実施態様のサイズについて説明する。図４に示したヘアセット用器具１の横方向の長さ、すなわち全長は約３０ｍｍである。また、図２で示す挟み付け部２，３の大径の楕円形端面の長軸の長さは約３９ｍｍであり、短軸の長さは約３２ｍｍである。また、反対側の小径の楕円形端面の長軸の長さは約３０ｍｍであり、短軸の長さは２３ｍｍである。サイズは以上の通りであるが、本発明がこれらの数値に限定されないことは勿論である。
【００３０】
なお、本発明は前述した構成に基づいて種々の態様をとることが可能である。例えば、摘み１０，１１の表面にも面ファスナーを貼着してもよい。摘み１０，１１は挟み付け部２，３に対して固定的に設けられていてもよい。また、摘み１０，１１が存在しなくてもよい。また、実施形態で一対の挟み付け部２，３が、閉じる方向に付勢された状態で支軸８により開閉回転可能に結合されているが、閉じる方向に付勢されない構成であってもよい。この場合は、閉じたときに、挟み付け部２，３の端部同士を結合する手段が必要となる。例えば、端部同士をネオジム磁石のような比較的強力な磁石で結合するものであってもよい。あるいは、両挟み付け部２，３のそれぞれの端部に形成されている凹凸部２８，２９を噛み合わせるときに、双方の凹凸部２８，２９が係脱可能となる係止機構を設ける構成であってもよい。また、面ファスナー２０，２１などの頭髪係止部は、挟み付け部２，３の一方にのみ設けるものであってもよい。毛束を挟み付けるときに閉じられた一対の挟み付け部２，３で構成される形状は、円錐台形又は楕円錐台形以外でもよく、例えば円筒形などでもよいことは勿論である。また、挟み付け部２，３の外面に設ける頭髪係止部は面ファスナーに限定されるものではなく、頭髪を係止できるものであればよい。また、面ファスナー２０，２１は多数の頭髪係止部であるフック部３５，３６を有しているが、ある程度の頭髪の束をまとめて係止できる頭髪係止部を設けることによって、頭髪係止部の数を減じてもよい。頭髪係止部の数は２〜８程度でもよく、この場合、頭髪係止部の構成は、例えば、挟み付け部の外面に、その長手方向のほぼ全長に亘って延びる可撓性を有する片持ち細長片を設けたものとすることができる。また、ヘアセット用器具１の色彩については、髪の色に合わせて使用できるように、例えば黒色や茶色に着色したものも用意される。これによりヘアセット用器具１を目立たなくすることができる。また、本実施形態の面ファスナー２０，２１のフック部３５，３６の高さは比較的低く形成されているが、図２で見て、挟み付け部２，３の最も外側の縁部からやや突出する程度の高さとしてもよい。
【産業上の利用可能性】
【００３１】
一対の挟み付け部の少なくとも一方の挟み付け部の外面に、頭髪が係止可能な頭髪係止部を設けることにより、お団子ヘアを作るために毛束をその挟み付け部に挟み付ける作業と毛束を巻き付ける作業とを、容易に行うことができるヘアセット用器具を提供することができる。
【符号の説明】
【００３２】
１  ヘアセット用器具、    ２  挟み付け部、    ３  挟み付け部、    ４  軸受部、    ５  軸受部、    ６  軸受部、    ７  軸受部、    ８  支軸、    ９  トーションばね、    １０  摘み、    １１  摘み、    １２  基部、    １３  側面、    １４  側面、    １５  ジャーナル軸、    １６  基部、    １７  側面、    １８  側面、    １９  ジャーナル軸、    ２０  面ファスナー、    ２１  面ファスナー、    ２２  ストッパー面、    ２３  ストッパー面、    ２４  端縁、    ２５  凹部、    ２６  突起、    ２７  突起、    ２８  凹凸部、    ２９  凹凸部、    ３０  お団子ヘア、    ３１  頭髪用ゴム、    ３２  毛束、    ３３  小径の端面、    ３４  大径の端面、    ３５  フック部、    ３６  フック部
【図１】
2015134038.tif 000003
【図２】
2015134038.tif 000004
【図３】
2015134038.tif 000005
【図４】
2015134038.tif 000006
【図５】
2015134038.tif 000007
【図６】
2015134038.tif 000008